(57)【要約】【課題】本発明は、バンドの凹凸部を動かすことによるバックルの係合部とバンドの凹凸部の係合を解くバックルを提供する。【解決手段】凹凸部１，２を有するバンド３を固定するためのバックル４であって、バンド３の凹凸部１，２と係合可能な係合部５を有する固定板６と、バンド３が係合部５を通過する前にバンド３を支持する第１支持板１１と、バンド３が係合部５を通過した後にバンド３を支持する第２支持板１２と、バンド３が係合部５を通過する前にバンド３が挿通される第１開口７と、バンド３が係合部５を通過する後にバンド３が挿通される第２開口８と、係合部５の近傍にあり、上下に揺動する作動部９を有する操作板１０と、バンド挿通時、作動部９に対向するバンド部分が上又は下にたわむことが可能な空間を有するバックル【選択図】図１
2019198459.tif 000002
【特許請求の範囲】
【請求項１】
凹凸部（１，２）を有するバンド（３）を固定するためのバックル（４）であって、
バンド（３）の凹凸部（１，２）と係合可能な係合部（５）を有する固定板（６）と、
バンド（３）が係合部（５）を通過する前にバンド（３）が挿通される第１開口（７）と、
バンド（３）が係合部（５）を通過した後にバンド（３）が挿通される第２開口（８）と、
係合部（５）の近傍にあり、上下に揺動する作動部（９）を有する操作板（１０）と、
バンド挿通時、作動部（９）に対向するバンド部分が上又は下にたわむことが可能な空間を有する
バックル
【請求項２】
第１天井板（１４）と、第１天井板（１４）のバンド幅方向の両縁部から垂下した一対の第１側壁部（１３）と、一対の第１側壁部（１３）と連結する第１支持板（１１）とで、第１開口（７）が形成され、
第２天井板（１６）と、第２天井板（１６）のバンド幅方向の両縁部から垂下した一対の第１側壁部（１３）と、一対の第１側壁部（１３）と連結する第２支持板（１２）で第２開口（８）が形成され、
第１天井板（６）と第２天井板（１６）の間に操作板（１０）が形成され、
第１支持板（１１）と第２支持板（１２）の間にバンドがたわむことが可能な空間が形成され、
係合部（５）が固定板（６）の下面に形成されている請求項１記載のバックル
【請求項３】
第１支持板（１１）又は操作板（１０）と、第１支持板（１１）又は操作板（１０）のバンド幅方向の両縁部から立設した一対の第１側壁部（１３）と、一対の第１側壁部（１３）と連結した第１天井板（１４）とで、第１開口（７）を形成され、
第２支持板（１２）又は操作板（１０）と、第２支持板（１２）又は操作板（１０）のバンド方向の両縁部から立設した一対の第１側壁部（１３）と、一対の第１側壁部（１３）と連結した第２天井板（１６）とで、第２開口（８）を形成され、
第１支持板（１１）と第２支持板（１２）の間に操作板（１０）形成され、
第１天井板（１４）と第２天井板（１６）の間にバンドがたわむことが可能な空間形成され、
係合部（５）が固定板（６）の上面に形成されている請求項１記載のバックル
【発明の詳細な説明】
【技術分野】
【０００１】
この発明は、凹凸部を有するバンドまたはベルトを係止するためのバックルに関し、特に、ヘルメットのヘッドバンド、時計バンド、鞄または靴用のバンドまたはベルトと一緒に用いられるバックルに関するものである。
【背景技術】
【０００２】
今まで、種々の凹凸部を有するバンドまたはベルトを係止するためのバックルや、バックルを有するヘルメット用バックル付バンド等の提案がなされている。例えば、対向する底板と天井枠と側板からなり、内部が係合溝を有するバンドの挿通空間とされたバックル本体と、一端部下面にバンドの係合溝に係合可能な係合爪を有するとともに他端部上面を押圧部とした操作板を天井枠の内側にバンドと水平になるように設置し、操作板の略真ん中を支点として、シーソーのような機構によって押圧部を押すことにより係合爪を持ち上げて係合状態を解除するバックルが提案されている（特許文献１）。
【０００３】
また、解除部材の操作部を押すことにより、解除部材の解除部が弾性部材の自由端を押し上げ、自由端にある係合部とバンドの凹凸部との係合を解くバックルが提案されている（特許文献２）。
【先行技術文献】
【特許文献】
【０００４】
【特許文献１】特開２０００−１３５１０３公報
【特許文献２】特許４１０３０４３号公報
【発明の概要】
【発明が解決しようとする課題】
【０００５】
従来の凹凸部を有するバンドまたはベルトを係止するためのバックルは、すべて、バンドの凹凸に係合している係合部を動かすことにより、係合を解除するものであった。係合部を揺動させるため、係合部から係合部を揺動させる支点まである程度の長さが必要となる。本発明は、全く、これとは、発想を異にし、バンドの凹凸部を動かすことによる係合を解除するバックルを提供する。係合部を揺動させる必要がないため、その分コンパクトにバックルを形成できる。
【課題を解決するための手段】
【０００６】
即ち、本発明は、
（１）凹凸部１，２を有するバンド３を固定するためのバックル４であって、バンド３の凹凸部１，２と係合可能な係合部５を有する固定板６と、バンド３が係合部５を通過する前にバンド３が挿通される第１開口７と、バンド３が係合部５を通過した後にバンド３が挿通される第２開口８と、係合部５の近傍にあり、上下に揺動する作動部９を有する操作板１０と、バンド挿通時、作動部９に対向するバンド部分が上又は下にたわむことが可能な空間を有するバックルである。
（２）第１天井板１４と、第１天井板１４のバンド幅方向の両縁部から垂下した一対の第１側壁部１３と、一対の第１側壁部１３と連結する第１支持板１１とで、第１開口７が形成され、第２天井板１６と、第２天井板１６のバンド幅方向の両縁部から垂下した一対の第１側壁部１３と、一対の第１側壁部１３と連結する第２支持板１２で第２開口８が形成され、固定板６と第２天井板１６の間に操作板１０が形成され、第１支持板１１と第２支持板１２の間にバンド３がたわむことが可能な空間が形成され、係合部５が固定板６の下面に形成されている（１）に記載のバックルである。
【０００７】
（３）第１支持板１１又は操作板１０と、第１支持板１１又は操作板１０のバンド幅方向の両縁部から立設した一対の第１側壁部１３と、一対の第１側壁部１３と連結した第１天井板１４とで、第１開口７を形成され、第２支持板１２又は操作板１０と、第２支持板１２又は操作板１０のバンド方向の両縁部から立設した一対の第１側壁部１３と、一対の第１側壁部１３と連結した第２天井板１６とで、第２開口８を形成され、第１支持板１１と第２支持板１２の間に操作板１０形成され、第１天井板１４と第２天井板１６の間にバンドがたわむことが可能な空間が形成され、係合部５が固定板６の上面に形成されている（１）記載のバックルである。
【発明の効果】
【０００８】
本発明によれば、バンドの凹凸を動かすことにより、バンドの係合を解除することができるのでコンパクトにバックルの構成が可能である。
【図面の簡単な説明】
【０００９】
【図１】図１は、バンドが挿通された状態の本発明の第１の例のバックルの斜視図である。
【図２】図２は、図１の矢印Ｂで示す線における断面図である。
【図３】図３は、図１の矢印Ａで示す線における断面図である。
【図４】図４は、図１の矢印Ｃで示す線における断面図である。
【図５】図５は、本発明の第２の例のバックルの斜視図である。
【００１０】
【図６】図６は、図５のバックルにバンドが挿入された状態の断面図である。
【図７】図７は、本発明の第３の例のバックルの斜視図である。
【図８】図８は、図７のバックルにバンドが挿入された状態の断面図である。
【図９】図９は、本発明の第１の例において出っ張りがバンドの幅方向の中央付近に形成された場合の、図１の矢印Ｃで示す線における断面図である。
【図１０】図１０は、本発明の第１の例において出っ張りが不要な場合の、図１の矢印Ａで示す線における断面図である。
【図１１】図１１は、本発明の第１の例において出っ張りが不要な場合の、図１の矢印Ｃで示す線における断面図である。
【図１２】図１２は、本発明の第１の例において操作板のバンド幅方向の側壁部分のみが第１側壁部１３に連結されている場合の、図１の矢印Ｃで示す線における断面図である。
【図１３】図１３は、本発明の第１の例において操作板１０の長手方向の一端と他端の中間地点にて一対の第１側壁部と連結させることにより、該中間地点を支点として上下に揺動自在な構造の場合の、図１の矢印Ｃで示す線における断面図である。
【図１４】図１４は、本発明の第３の実施例において、固定板６を操作板１０に対向させず、バンド３の垂直方向の高さを同じにし、第１支持板１１と第２支持板に連結させた模式の斜視図である。
【発明を実施するための形態】
【００１１】
本発明の特徴は、バンド３を上下に揺動させることにより、バンド３の凹凸部１，２とバックル４の係合部５の係合を解除することにある。従って、係合部５が形成される固定板６は、揺動することなく固定され、バンド３を動かすための操作板１０は上下に揺動する作動部９を有する。
バンド３を動かすことにより、係合を解除するには、係合部５を通過した係合部近傍のバンド部分を作動部９により動かす必要がある。また、バンド３が動くためには、バンド３が動く方向に動くための空間を設けることが必要である。
【００１２】
第１開口７と第２開口８は、バンド３の凹凸部１，２とバックル４の係合部５の係合を確実にするため、バンド３のぶれを抑止するためのものである。
本発明のバックルは、バンド３が係合部５を通過する前にバンド３を支持する第１支持板１１とバンド３が係合部５を通過した後にバンド３が支持する第２支持板１２を有する。また、バンド３が係合部５を通過する前にバンド３の上面と対向する第１天井板１４とバンド３が係合部５を通過した後にバンド３の上面と対抗する第２天井板１６を有する。
【００１３】
バンド３を上下に揺動させる仕方として、下にバンド３を押す方式と上にバンド３引く方式が考えられるので、バンド３を押す場合と引く場合に分けて、説明する。下とは、バンドが輪を形成するときに、輪の内側方向で、上とは外側方向を意味する。
（バンドを下に押す場合）
操作板１０と固定板６は、バンド３の上に設ける必要がある。係合部５は、下が係合部分となり、上が、固定板６に連結される。バンド３は凹凸部１，２を上にして、バックル４に挿通される。
第１開口７は、バンド３を支持する第１支持板１１、天井板１４、第１支持板１１と天井板１４を連結する一対の第１側壁部１３で形成される。
第２開口８は、バンド３を支持する第２支持板１２、第２天井板１６、第２支持板１２と第２天井板１６を連結する一対の第１側壁部１３で形成される。
バンドを下にたわませる空間は、第１支持板１１と第２支持板１２の間に設ける。
固定板６は天井板１４と天井板１６の間にある。
【００１４】
（バンドを上に引く場合）
操作板１０と固定板６は、バンド３の下に設ける必要がある。操作板１０は、バンド３を支持する。係合部５は、上が係合部分となり、下が固定板６に連結される。バンド３は凹凸部１，２を下にして、バックル４に挿通される。
第１開口７は、バンドを支持する第１支持板１１又は操作板１０、第１天井板１４、第１支持板１１又は操作板１０と第１天井板１４を連結する一対の第１側壁部１３で形成される。
第２開口８は、バンド３を支持する第２支持板１２又は操作板１０、第２天井板１６、第２支持板１２又は操作板１０と第２天井板１６を連結する一対の第１側壁部１３で形成される。
バンドを上にたわませる空間は、第１天井板１４と第２天井板１６の間に設ける。
固定板は、第１支持板１１と第２支持板１２の間にある。
以下、図面を用いて本発明について詳細に説明する。
【実施例１】
【００１５】
バンドを下に押す場合の例である。
図１は、バンド３が挿通された状態の本発明の第１の例のバックル４の斜視図である。図２は、図１の矢印Ｂで示す線における断面図である。
図３は、図１の矢印Ａで示す線における断面図である。
図４は、図１の矢印Ｃで示す線における断面図である。
バンド３の一端が、バンド３の他端に一体成型されたバックルに挿通されている。
【００１６】
本実施例では、図１で示されるように第１天井板１４と第１天井板１４のバンド幅方向の両縁部から垂下した一対の第１側壁部１３と第１天井板１４と対向せず、一対の第１側壁部１３と連結し、バンドを支持する第１支持板１１とで、第１開口７が形成されている。本実施例では、バンドの他端が、天井板１４として使用されているが、他端が第１支持板１１として使用されてもいい。
【００１７】
第２開口８は、第２天井板１６と第２天井板１６のバンド幅方向の両縁部から垂下した一対の第１側壁部１３と第２天井板１６と対向せず、一対の第１側壁部１３と連結し、バンドを支持する第２支持板１２で形成されている。
固定板６は、第１天井板１４と第２天井板１６の間にあり、本実施例では、第１天井板１４と連結している。固定板６の下面には係合部５が形成され、バンドの凹凸部１，２と係合する
操作板１０は、第１天井板１４と第２天井板１６の間に形成される。その形成方法としては、種種の方式が考えられる。
本実施例では、バンドの長手方向に操作板１０の一端が一対の側壁部１３と連結し固定端２１とされ、他端は、固定板６の近傍まで延び、上下に揺動可能な動作部９となっている。
本実施例の固定端２１と固定板６の位置を逆にすることもできる。即ち、固定板６を第１天井板１４に連結させず、本実施例の固定端２１の位置に設け、固定端２１を第１天井板１４に連結させ、他端を固定板６の近傍まで延ばし、上下に揺動可能な動作部９とすることもできる。
【００１８】
図２に示されるように、天井板１４、固定板６、操作板１０、天井板１６の下面及び第１支持板１１と第２支持板１２の上面には対向する部分は、対向部材がなく、空間のみがひろがっている。こうすることにより、バンド３とバックル４の一体成型する際の金型の押し切り構造が容易にでき、コスト低下が図られる。
本実施例では、操作板１０の動作部９の上面は、固定板６の上面に比べ、押しやすいようにバンド挿通時のバンド上面からの高さが高い位置になっているが、図１０に示すように同じ高さであってもいいし、係合部５の長さを長くすることにより、低くすることも可能である。
操作板１０の形成方法として、第１２図の示すように操作板１０のバンド幅方向の両端部のみが第１側壁部１３に連結されている構造でもいい。この場合、連結部がたわみ易いように、逆Ｕの字にすると好ましい。
【００１９】
また、第１３図に示すように操作板１０の長手方向の一端と他端の中間地点にて一対の第１側壁部と連結させることにより、該中間地点を支点として上下に揺動自在な構造としてもいい。
本発明では、必ずしも操作板１０と側壁部１３と一体に形成しなくてもよい。例えば、操作板１０を別体として、側壁部１３に機械的に、もしくは接着、融着等により固定してもよい。その場合、操作板１０のみを、側壁部１３よりも弾性に富む材質で形成することもできる。
【００２０】
図２は、図１の矢印Ｂで示される直線における断面図である。動作部９の下面には一対の側壁部１３側の縁部に一対の出っ張り１５がある。出っ張り１５のバンド幅方向の幅は、バンド３の挿入時に、バンド３の凹凸１，２に接触しないように設定されている。本実施例では、出っ張り１５が、動作部９の下面の一対の側壁部１３側の縁部に存在しているが、これは、バンド３の一端に形成される凹凸部の位置に対応して形成される。本実施例では、凹凸１，２は、バンド幅方向の中央から幅方向に向かって対称に一定幅で交互に多数形成されているが、図９に示すようにバンド３の凹凸がバンドの両縁部に形成されている場合は、出っ張り１５は、バンド３の凹凸にあたらないように、バンド幅方向の中央付近に形成される。
【００２１】
また、本実施例では、バンド３の凹凸の凹部１がバンド３の外表面と一致するように形成されているが、図１０、図１１に示すようにバンドの凸部２がバンド３の外表面と一致する場合、出っ張り１５を設ける必要はない。
図２において、動作部９を矢印方向に押し下げたとき、出っ張り１５がバンド３を押し下げ、図３の破線の○で囲まれた係合部５とバンド３の凹凸部の係合が解除される。
【実施例２】
【００２２】
バンドを引く場合の例である。
図５は、本発明の第２の例のバックル４の斜視図である。
図６は、図５のバックルにバンドが挿入された状態の断面図である。
バックル４は、バンド３の一端に成型されている。バンド３の他端がバックル４に挿通される。
【００２３】
第１支持板１１、第２支持板１２、第１支持板１１と第２支持１２の間にある操作板１０は、バンド挿入時に、凹凸部１，２を有するバンド３の他端を支持する。
操作板１０のバンド幅方向の縁部は、一対の側壁部１３が立設され、操作板１０の上面に対向する第１天井板１４と第２天井板１６に連結している。操作板１０と、一対の側壁部１３と、第１天井板１４で、第１開口７が形成されている。操作板１０と、一対の側壁部１３と、第２天井板１６で、第２開口８が形成されている。
この実施例では、このように操作板１０に第１開口７、第２開口８が形成されているが、第１開口が第１支持板１１に形成されてもいいし、第２開口が第２支持板１２に形成されていてもいい。
係合部５の近傍に上下に揺動する作動部９がある。作動部９に対向する部分は、バンド挿通時、バンド部分が上にたわむことが可能なように、天井板は存在せず、空間が広がっている。
【００２４】
図６からわかるように、操作板１０の下面と対向して固定板６があり、固定板６の上面には、バンド３の凹凸部１，２と係合可能な係合部５が形成されている。第１開口７と第２開口８の間の操作板１０の開口部１７から係合部５の一部が覗き、バンド３の凹凸部１，２と係合する。
【００２５】
固定板６の縁部から第２側壁部１８が立設している。バンド長手方向の端部に立設した第２側壁部１８は、第１支持板１１、第２支持板１２に連結している。
【００２６】
第１開口７と第２開口８の間の操作板１０のバンド幅方向の縁部から垂下した取っ手１９が形成されている。取っ手１９により操作板１０を上に引くことができる。
図６からわかるように、操作板１０のバンドの長手方向の端部は、第１支持板１１又は第２支持板１２、固定板６と第２側壁部１８で形成される間隙２０に挿入されている。操作板１０の取っ手１９により上下に揺動とともに、操作板１０の端部が間隙２０を前後に動く。
【００２７】
図６は、バンド３の凹凸部１，２が係合部５と係合した状態であるが、操作板１０の取っ手１９を上に動かすことにより操作板１０に支持されていたバンド３の他端が上に動き、係合がはずれる。
【実施例３】
【００２８】
バンドを引く場合の例である。
図７は、本発明の第３の実施例の斜視図である。図８は、図７の断面図である。本実施例と実施例２の相違は、実施例２では、操作板１０の両端が固定されず、操作板１０の上下の揺動に対応し、前後に動くのに対して、本実施例では、操作板１０の一端が固定され、他端のみが上下に揺動することである。
本実施例では、操作板１０の一端は第２支持板１２に連結し、他端が上下に揺動可能となっているが、操作板１０の一端が支持板１１に連結し、他端が上下に揺動可能であってもいい。
また、本実施例では、固定板６は、操作板１０より下に位置し、対向して形成されているが、対向させず、模式の斜視図１４のように同じ高さにすることも可能である。この場合、固定板６は、第１支持板１１と第２支持板１２のバンド幅方向の中央部に連結し、操作板１０は、一端が第２支持板１２のバンド幅方向と両縁部の端部に連結し、もう一端は、第１支持板１１の近傍まで延び、自由端となっている。
【００２９】
以上の実施例において、
バンド３に形成されている凹部１および凸部２は、図３、図６に示すように、バンド長手方向に沿う断面において鋸歯状となっている。すなわち、凸部２のバンド引き抜き方向に向かう面がほぼ垂直であり、バンド挿入方向に向かう面が傾斜面とされている。これに対応して、係合部５の断面形状も、バンド引き抜き方向に向かう面が傾斜面であり、バンド挿入方向に向かう面がほぼ垂直面とされている。これにより、バンド３をバックル４へ挿入するときには、係合部５の傾斜面が凸部２の傾斜面に沿って滑り、固定板６がバンド３より上にある場合はバンド３を押し下げ、固定板６がバンド３より下にある場合は、バンド３を押し上げ、係合部５が凸部２を乗り越えていく。逆に、バンド３をバックル４から引き抜こうとすると、係合部５の垂直面が凸部２の垂直面に当接し、バンド３を押し下げるあるいは押しあげることなく、バンド３の抜けが防止される。
【００３０】
バンド３の凹部１および凸部２と、係合部５の形状は、上記構造に限定されず様々な変形が可能である。例えば、バンド３の凹部１は、バンド３に一定間隔毎に多数形成された孔であってもよく、その場合には、係合部５は穴に嵌合する例えば棒状の突起であってもよい。また、凹部１及び凸部２の断面形状はサイン波形状、三角波形状等の波形であってもよく、その場合には係合部１３が爪状もしくはそれぞれに対する相補形状等であってもよい。
【００３１】
バックル４の部材の材質は限定されないが、ポリエチレン、ポリプロピレン等の一般的な樹脂を使用して成形することで十分な強度と弾性力が確保できる。部材に応じて、異なっていてもいいし、同一材質であってもかまわない。
【符号の説明】
【００３２】
１  バンドの凹部
２  バンドの凸部
３  バンド
４  バックル
５  係合部
６  固定板
７  第１開口
８  第２開口
９  作動部
１０  操作板  
１１  第１支持板
１２  第２支持板
１３  第１側壁部
１４  第１天井板
１５  出っ張り
１６  第２天井板
１７  開口部  
１８  第２側壁部
１９  取っ手
２０  間隙
２１  固定端        
【図１】
2019198459.tif 000003
【図２】
2019198459.tif 000004
【図３】
2019198459.tif 000005
【図４】
2019198459.tif 000006
【図５】
2019198459.tif 000007
【図６】
2019198459.tif 000008
【図７】
2019198459.tif 000009
【図８】
2019198459.tif 000010
【図９】
2019198459.tif 000011
【図１０】
2019198459.tif 000012
【図１１】
2019198459.tif 000013
【図１２】
2019198459.tif 000014
【図１３】
2019198459.tif 000015
【図１４】
2019198459.tif 000016